(57)【要約】【課題】内容物を取り出す際の流量を微調整しやすいスパウト及びスパウト付きパウチを提供する。【解決手段】パウチ本体１の重ね合わせられた前後一対のシート間にヒートシールにより固着される取付部２０と、該取付部２０からパウチ本体１の外側に突出するように形成された口部２１と、取付部２０からパウチ本体１の内側に突出するように形成された内方延在部２２とを備えて、パウチ本体１の内容物を外部に取り出すための連通孔２３が内方延在部２２から口部２１まで形成されたスパウトであって、内方延在部２２には、取付部２０から離れるほど後側に向かう調整面３０が形成され、該調整面３０に前記連通孔２３が開口し、且つ、調整面３０の先には、指Ｐを支持できるように調整面３０から連続した指支持面３２が形成されている。【選択図】図４
2010173704.tif 000002
【特許請求の範囲】
【請求項１】
パウチ本体の重ね合わせられた前後一対のシート間にヒートシールにより固着される取付部と、該取付部からパウチ本体の外側に突出するように形成された口部と、取付部からパウチ本体の内側に突出するように形成された内方延在部とを備えて、パウチ本体の内容物を外部に取り出すための連通孔が内方延在部から口部まで形成されたスパウトであって、内方延在部には、取付部から離れるほど後側に向かう調整面が形成され、該調整面に前記連通孔が開口し、且つ、調整面の先には、指を支持できるように調整面から連続した指支持面が形成されていることを特徴とするスパウト。
【請求項２】
指支持面が連通孔の開口よりも後側に位置ずれして形成されている請求項１記載のスパウト。
【請求項３】
調整面は、前側から見て、取付部から離れる方向に向けて幅広に形成されている請求項１又は２記載のスパウト。
【請求項４】
取付部と内方延在部の調整面との間にパウチ本体のシートとヒートシールされない未シール部が存在するように、調整面は取付部から所定距離離間した位置から形成されている請求項１乃至３の何れかに記載のスパウト。
【請求項５】
請求項１乃至４の何れかに記載のスパウトが取り付けられていることを特徴とするパウチ。
【発明の詳細な説明】
【技術分野】
【０００１】
本発明は、内容物を取り出すためにパウチに取り付けられるスパウト、及び、該スパウトが取り付けられたパウチに関するものである。
【背景技術】
【０００２】
従来、この種のスパウトには種々存在するが、下記特許文献１、２のように内容物を取り出す際の流量調整を行いやすくするための工夫が施されたものも提案されている。特許文献１所載のものは、その先端部が斜めにカットされた形状であって、この傾斜面をパウチ本体を介して指で押さえることによって、内容物取り出しの際にその流量を調整しようとするものである。
【０００３】
しかしながら、特許文献１所載のものでは、傾斜面を指で押さえて開口を塞ぐか、あるいは、指で押さえずに開口を開放するかの何れかしかできない。指で押さえる力を調整しようとしても、指で押さえようとすればパウチ本体のシートによって開口がすぐに塞がってしまうため、結局、内容物の取り出しを止めることしかできない。
【０００４】
また、特許文献２所載のものも同様に傾斜面を設けたものであるが、パウチ本体にヒートシールする箇所である取付部を斜めにカットした構成であるため、ヒートシール面積が大幅に減少してシール不良のリスクが増大する。しかも、ヒートシールバーによる押圧力と温度の影響によってパウチ本体のシートが傾斜面の開口を少なからず塞ぐことになり、本来の開口面積を確保しにくいという問題がある。更には、特許文献１所載のものと同様に内容物の取り出しを止めることしかできず、流量自体の調整は極めて難しい。
【先行技術文献】
【特許文献】
【０００５】
【特許文献１】特開平１０−２９１５４９号公報
【特許文献２】特開２００３−８１２８８号公報
【発明の概要】
【発明が解決しようとする課題】
【０００６】
そこで本発明は上記従来の問題点に鑑みてなされ、内容物を取り出す際の流量を微調整しやすいスパウト及びスパウト付きパウチを提供することを課題とする。
【課題を解決するための手段】
【０００７】
本発明は上記課題を解決すべくなされたものであって、本発明に係るスパウトは、パウチ本体の重ね合わせられた前後一対のシート間にヒートシールにより固着される取付部と、該取付部からパウチ本体の外側に突出するように形成された口部と、取付部からパウチ本体の内側に突出するように形成された内方延在部とを備えて、パウチ本体の内容物を外部に取り出すための連通孔が内方延在部から口部まで形成されたスパウトであって、内方延在部には、取付部から離れるほど後側に向かう調整面が形成され、該調整面に前記連通孔が開口し、且つ、調整面の先には、指を支持できるように調整面から連続した指支持面が形成されていることを特徴とする。尚、前後は、スパウトの口部を上方に位置させた状態で正面視における前後であり、前後一対のシートは正面側のシートと背面側のシートを意味する。
【０００８】
該構成のスパウトは、その取付部においてパウチ本体における前後一対のシート間にヒートシールにより固着され、その内方延在部がパウチ本体の内側に突出する。そして、連通孔の開口が存在する調整面が取付部から離れるほど即ちパウチ本体の内側に向かうほど後側に向かうように形成されているので、その調整面にパウチ本体のシートを介して前側から指（特に親指）を押し当てることができる。その際、調整面の先、即ち、取付部とは反対側には、調整面から指支持面が連続して形成されているので、その指支持面に指を支持させながら、指を指支持面から調整面に向かって接近させたり、逆に、調整面から指支持面側に向けて指を離反させたりする動作を容易に行うことができる。即ち、流量調整の際に、指を指支持面に支持させることができるので、調整面を指で押す力の加減や開口を塞ぐ割合を容易に調整して流量を容易に微調整することができる。
【０００９】
特に、指支持面が連通孔の開口よりも後側に位置ずれして形成されていることが好ましい。指支持面が開口より後側に位置ずれしていると、指支持面と調整面との間で指を移動させるとその指が前後方向にも同時に動くことになるので、より一層スムーズに流量を調整することができる。
【００１０】
また、調整面は、前側から見て、取付部から離れる方向に向けて幅広に形成されていることが好ましい。指支持面に指を支持させて行う流量調整の際には、調整面における取付部から遠い部分の使用頻度が高いので、その部分が幅広であることにより指で押さえやすい。また、指を左右に微妙にずらせて開口の塞ぎ具合を微調整することも行いやすい。
【００１１】
また、取付部と内方延在部の調整面との間にパウチ本体のシートとヒートシールされない未シール部が存在するように、調整面は取付部から所定距離離間した位置から形成されていることが好ましい。調整面が取付部から形成されていたり、あるいは、例えば図８のようにパウチ本体１０１とのシール面１０２の境界部分１０３から調整面１０４が形成されていたりすると、ヒートシール時の圧力や温度によってパウチ本体１０１の前側のシート１０５が調整面１０４に沿うように癖がつくことになり、該シート１０５によって開口１０６が塞がりやすくなって流量調整がしにくい。従って、未シール部を設けるように調整面を離間した位置から形成することによって、シートが調整面に沿いにくくなり、十分な流量が確保できると共にその流量調整も容易に行うことができる。
【発明の効果】
【００１２】
以上のように、指支持面に指を支持させながら流量を調整することができるので、流量調整を細かく正確に行うことができる。
【図面の簡単な説明】
【００１３】
【図１】本発明の一実施形態におけるスパウト付きパウチを示す正面図。
【図２】同実施形態におけるスパウトを示す斜視図。
【図３】同実施形態におけるスパウトを示す正面図。
【図４】図３のＡ−Ａ断面図。
【図５】本発明の他の実施形態におけるスパウト付きパウチを示す正面図。
【図６】本発明の他の実施形態におけるスパウトを示す断面図。
【図７】本発明の他の実施形態におけるスパウトを示す正面図。
【図８】従来のスパウトを示す断面図。
【発明を実施するための形態】
【００１４】
以下、本発明の一実施形態にかかるスパウト及びスパウト付きパウチについて図１乃至図４を参酌しつつ説明する。図１に示すスパウト付きパウチは、例えば、液状やゼリー状等の食品や洗剤等の流動体を内容物として収容するためのパウチであって、シートから袋状に形成されて内容物を収容可能なパウチ本体１と、該パウチ本体１に取り付けられて内容物の充填及びその取り出しに使用されるスパウト２と備えている。
【００１５】
パウチ本体１は、底ガセットを有するスタンディングタイプや平タイプ等種々の袋形状であってよいが、本実施形態では左右にガセット部を備えたサイドガセットの袋形状を採用していて、上下方向に長い略長方形状に形成されてその周縁部がヒートシールされている。図１においてクロスハッチングを施している部分がヒートシールされたシール部である。即ち、パウチ本体１は、前後一対のシート片１１，１２と、該前後のシート片１１，１２間に位置する左右のガセット片１３，１４とから構成されている。尚、これらの前後のシート片１１，１２やガセット片１３，１４は互いに別体に形成されていても、一部あるいは全部を一体として形成して所定箇所を折り畳んで形成してもよい。
【００１６】
また、前記スパウト２は、両側縁部と下端部の三方がヒートシールされてその上端部がヒートシールされずに開口する状態のパウチ本体１に挿入され、パウチ本体１の上端部において前後一対のシート片１１，１２及びガセット片１３，１４をヒートシールして封着する際に、同時にスパウト２がパウチ本体１の前後のシート片１１，１２間に挟まれるようにしてヒートシールされてパウチ本体１に固着される。尚、図１では、サイドガセットタイプであるので、特に、パウチ本体１の上端部の左右両隅部１５においては、ガセット片１３，１４が前後方向に開かないように折り畳み状態に接着されている。
【００１７】
ここで、パウチ本体１を構成するシートとしては、例えば、二軸延伸ポリエステルフィルムや二軸延伸ポリアミドフィルム等よりなる外層と、低密度ポリエチレン、高密度ポリエチレン、鎖状低密度ポリエチレン、ポリプロピレンやメタロセン系ポリエチレン等の熱融着性樹脂よりなる内層とからなる多層ラミネートフィルムが使用され、また、必要によりエチレンビニルアルコール共重合体やアルミニウム箔、酸化ケイ素等の無機物を蒸着したフィルム等のようなガスバリア性フィルム等を積層したものも使用される。また、スパウト２は、パウチ本体１を構成するシートの内面にヒートシール可能な合成樹脂（ポリエチレンやポリプロピレン等の熱融着性樹脂）から形成されており、一般には成形により一体的に形成される。
【００１８】
該スパウト２は、具体的には、図１〜図４に示すように、パウチ本体１の上端部において前後一対のシート片１１，１２に狭持されるようにヒートシールにより固着される取付部２０と、該取付部２０からパウチ本体１の外側に即ち上方に突出するように形成された口部２１と、取付部２０からパウチ本体１の内側に即ち下方に突出するように形成された内方延在部２２とを備えている。そして、パウチ本体１の内部と外部とを連通する連通孔２３が、内方延在部２２から口部２１まで上下方向に直線状に形成されている。尚、この連通孔２３は、断面円形のものであるが、断面が楕円のものなど、種々の形状としてよい。
【００１９】
より詳細には、取付部２０は、中央から両側部にかけて徐々に前後方向の厚みが薄くなった横断面視略舟形の形状となっている。また、口部２１は、全体として円筒状であって、その上部外周面には図示しないキャップを螺着するためのネジ部２４が形成され、その下部外周面には上下一対の鍔部２５，２６が形成されている。該鍔部２５，２６は矩形、具体的には、横長の長方形となっている。そして、下側の鍔部２６は、取付部２０との境界部分となっていて、図４にも示すように取付部２０よりも更に前後に突出し、パウチ本体１の上端が下側の鍔部２６の下面に当接する。尚、図２及び図３において、取付部２０の下端２０ａの位置を二点鎖線にて示しているが、この位置は図１のようにパウチ本体１に固着されることによって確定される。
【００２０】
そして、取付部２０の下側には、全体として靴べら状に形成された内方延在部２２が取付部２０から連続的に形成されて下方に向かって延びている。該内方延在部２２の前面には、取付部２０から離れるほど、即ち、下側ほど、後側に向かっていくように調整面３０が形成され、該調整面３０に連通孔２３が開口している。具体的には、調整面３０は、後側に向けて傾斜した傾斜面となっていて、傾斜角度としては例えば３０度〜６０度程度である。
【００２１】
また、調整面３０は、取付部２０との間にパウチ本体１とヒートシールされない未シール部３１が存在するように、取付部２０から所定距離下方に離間した位置から形成されている。この離間距離は、例えば、０．３ｍｍ〜数ｍｍ程度である。
【００２２】
そして、該調整面３０の下側には調整面３０から滑らかに連続した指支持面３２が形成されていて、該指支持面３２には図４に二点鎖線にて示すようにパウチ本体１の前側のシート片１１を介して指Ｐを前側から支持させることができる。該指支持面３２は、図４のように縦断面において上部が湾曲状で下部は直線状に延びており、調整面３０よりも浅い傾斜で後側に向かっている。このように指支持面３２は、連通孔２３の開口２３ａよりも後側に位置している。また、該指支持面３２の下端は例えば図１に示すようにパウチ本体１の中央付近に位置するが、その位置は任意である。尚、内方延在部２２の厚さは、調整面３０の後側において厚肉（例えば口部２１における内周面と外周面との間の肉厚よりも厚い）とされていて詳細には下側に向かって徐々に厚くなり、その後、指指示面３２の後側においては下側に向かって徐々に薄くなっている。
【００２３】
更に、内方延在部２２は、前側から見たときには、図３のように、取付部２０から下側に向けて途中までは取付部２０よりも徐々に幅が広がっていって、その後、次第に幅が狭くなっていき、下端においては取付部２０の幅と略等しい幅となっている。この内方延在部２２の全幅の変化に伴って、調整面３０は下側ほど徐々に幅が広くなった下広がりの形状となっていて、続く指支持面３２は途中までは幅が広がっていってその後は内方延在部２２の全幅の減少に伴って徐々に幅が狭くなっている。
【００２４】
以上のように構成されたスパウト及びスパウト付きパウチにあっては、図４に二点鎖線で示すようにパウチ本体１を介して前側から指支持面３２に指Ｐ（例えば親指）を支持させることができる。そして、口部２１が下側を向くようにして内容物の取り出しを行うが、その際、指Ｐを図中の矢印Ｘのように連通孔２３の軸線方向に移動させると、指Ｐは連通孔２３の開口２３ａに対して連通孔２３の軸線方向に接近離反すると同時に前後方向にも自動的に移動することになる。従って、指Ｐを連通孔２３の開口２３ａに接近させると連通孔２３の開口２３ａとシートとの間の隙間が小さくなっていき、更に接近させると開口２３ａの面積を減少させることができる。従って、流量の細かな設定が容易に行うことができる。しかも、指支持面３２に指Ｐが支持されているので、流量調整中に指Ｐがふらついたりしにくいうえに、流量調整作業も楽に行うことができる。
【００２５】
特に、指支持面３２が連通孔２３の開口２３ａよりも後側に位置しているので、指Ｐを開口２３ａに接近させると同時に前側にも指Ｐが移動して、より一層細やかな流量調整ができるのである。更に、開口２３ａ近傍の調整面３０も下側が幅広となっているので、指Ｐを調整面３０に押し当てやすく、安定して開口２３ａを塞いだりすることができるうえに、指Ｐを左右方向にも位置ずれさせて開口２３ａ面積を調整したりすることもできる。
【００２６】
また、調整面３０が取付部２０との間に未シール部３１を形成するように取付部２０から下側に離間して形成されているので、前側のシート片１１に調整面３０に沿って後側に折れ曲がるような癖が付きにくく、従って、内容物を取り出す際に前側のシート片１１が調整面３０に覆い被さって開口２３ａを自動的に塞いでしまうということが防止される。
【００２７】
更に、調整面３０の後側が厚肉となっているので、調整面３０に指Ｐを押し当てて流量調整する際に、他の指で調整面３０の後側を前側に向けて押さえやすくなり、その結果、流量調整を安定して行うことができる。しかも、調整面３０の後側を厚肉とすることで、後側のシート片１２と内方延在部２２との間の隙間を小さくでき、内容物を取り出す際にその隙間に内容物が回り込みにくくなってスムーズな取り出しができる。また、調整面３０の後側を厚肉とすることで十分な強度が確保されて、パウチ製造時や輸送時等におけるスパウト２の破損を防止することができる。
【００２８】
また、内方延在部２２の全体形状が下側ほど幅狭且つ薄肉となっているので、パウチ本体１への挿入工程がスムーズとなり、挿入不良を防止できる。
【００２９】
尚、調整面３０は後側に傾斜した傾斜面として説明したが、湾曲面であってもよい。また、指支持面３２についても傾斜面でもよく湾曲面でもよい。
【００３０】
また、指支持面３２の周縁部を前側に湾曲させて全体としてスプーン形状とすれば、その内側における一定容量の内容物を指Ｐで押し出すようにして取り出すことができ、取り出し量の概略計測ができる。
【００３１】
尚、パウチ本体１の上端部におけるシール部の上下寸法を図５のように中央部分において小さくすると、内容物の取り出しの際に内容物がスパウト２に向けて集まりやすくなるので、好ましい。
【００３２】
また、スパウト２の指支持面３２は図６のように開口２３ａより後側に位置ずれせずにそれと面一に形成されていてもよく、この場合でも流量調整時に指Ｐを指支持面３２に支持させることができるので、指先で流量調整を細かく行うことができる。また、図６のように調整面３０の後側を厚肉にしない構成であってもよい。
【００３３】
また更には、図７のように、調整面３０や指支持面３２の幅を取付部２０よりも狭くしてもよく、調整面３０や指支持面３２の形状は任意である。
【００３４】
尚、図７の形態では、未シール部３１を取付部２０から一段後側に位置させているが、このように未シール部３１は取付部２０と面一でなくてもよい。
【符号の説明】
【００３５】
１    パウチ本体
２    スパウト
１１    前側のシート片
１２    後側のシート片
１３    ガセット片
１４    ガセット片
１５    隅部
２０    取付部
２０ａ  下端
２１    口部
２２    内方延在部
２３    連通孔
２３ａ  開口
２４    ネジ部
２５    鍔部
２６    鍔部
３０    調整面
３１    未シール部
３２    指支持面
Ｐ    指
【図１】
2010173704.tif 000003
【図２】
2010173704.tif 000004
【図３】
2010173704.tif 000005
【図４】
2010173704.tif 000006
【図５】
2010173704.tif 000007
【図６】
2010173704.tif 000008
【図７】
2010173704.tif 000009
【図８】
2010173704.tif 000010